(57)【特許請求の範囲】
【請求項１】
呼出指令信号に基づいて呼出音声信号を作成する音声合成回路と、  音声合成回路が作成した呼出音声信号を増幅する増幅回路と、
増幅回路が増幅した呼出音声信号を音声に変換する音声発生器と、
音声合成回路が作成した呼出音声信号のレベルを音量調整信号のレベルに基づき段階的に調整する音量調整回路と、
小レベルから大レベルまでの複数段階のレベルに調節可能な音量調整信号のうち、予め中レベルの音量調整信号を内蔵のメモリに格納しており、インターホン装置のハンドセットがフックオフの状態のときの１つの呼出スイッチのオン操作回数に応じて、メモリに格納されている音量調整信号のレベルよりも大きいレベルの音量調整信号を段階的に選択して、また、メモリに格納されている音量調整信号のレベルが大レベルの場合は小レベルの音量調整信号を選択して、該選択されたレベルの音量調整信号を内蔵のメモリに記憶し、
同時に、該１つの呼出スイッチのオン操作時に呼出指令信号を音声合成回路に出力すると共に該メモリに記憶したレベルの音量調整信号を音量調整回路に出力し、
他の機器からの呼出信号を受けた時に呼出指令信号を音声合成回路に出力すると共に該メモリに記憶したレベルの音量調整信号を音量調整回路に出力する制御回路とを備えたことを特徴するインターホン装置。
【請求項２】
前記制御回路はタイマを内蔵し、他の機器からの１つの呼出信号を受けたときに、一定時間の間、音声合成回路に呼出指令信号を出力すると共に、音量調整回路に一定時間の間、所定時間間隔毎に段階的に音量を大きくする音量調整信号を出力することを特徴とする請求項１または２記載のインターホン装置。
【請求項３】
他の機器としての管理用制御盤又は住宅情報盤との通話を行うときに、テンキーにより通話を行いたい他の機器が設けられている部屋の部屋番号を入力し、呼出スイッチを押すことにより他の機器を呼び出す集合玄関機としてのインターホン装置であって、
他の機器からの通話信号を受信すると共に該インターホン装置のマイクの通話信号を他の機器へ発信する通話回路と、
呼出指令信号に基づいて呼出音声信号を作成する音声合成回路と、
音声合成回路が作成した呼出音声信号と通話回路の通話信号を増幅する増幅回路と、
増幅回路が増幅した呼出音声信号を音声に変換する音声発生器と、
音声合成回路が作成した呼出音声信号と通話回路の通話信号のレベルを音量調整信号のレベルに基づき段階的に調整する音量調整回路と、
前記他の機器が設けられている各部屋の部屋番号を入力すると共に電源投入時に調整モードを設定するテンキーと、
小レベルから大レベルまでの複数段階のレベルに調節可能な音量調整信号のうち、予め中レベルの音量調整信号を内蔵のメモリに格納しており、テンキーの少なくとも２つのキーのオン操作のオン信号を受けて電源投入時に調整モードに入り、その調整モードにおいて、前記２つのキーのうちの一方のキーのオン操作回数の数のオン信号に応じてメモリに格納されている音量調整信号のレベルよりも次第に段階的に大きいレベルの音量調整信号を選択して、また、前記２つのキーのうちの他方のキーのオン操作回数の数のオン信号に応じてメモリに格納されている音量調整信号のレベルよりも次第に段階的に小さいレベルの音量調整信号を選択して、該選択されたレベルの音量調整信号を内蔵のメモリに記憶し、かつ、該インターホン装置の呼出スイッチのオン操作時に呼出指令信号を音声合成回路に出力すると共に該メモリに記憶したレベルの音量調整信号を音量調整回路に出力し、
調整モード以外において、他の機器からの呼出信号を受けた時に呼出指令信号を音声合成回路に出力すると共に該メモリに記憶したレベルの音量調整信号を音量調整回路に出力する制御回路とを備えたことを特徴とするインターホン装置。
【請求項４】
前記音量調整回路は、音声合成回路と増幅回路との間に設けられ、抵抗値が異なる複数の音量調整用抵抗と、各音量調整用抵抗と接地との間に設けられ、前記制御回路の各ポートから出力される音量調整信号に対応してオンする複数のスイッチング素子とを有することを特徴とする請求項１〜３のいずれかに記載のインターホン装置。
【発明の詳細な説明】
【０００１】
【発明の属する技術分野】
本発明は、集合住宅や一戸建て住宅に設けられるインターホン装置に係り、特に呼出音の音量調整に関するものである。
【０００２】
【従来の技術】
従来の集合住宅における各部屋や管理人室や集合玄関に設けられるインターホン装置において、例えば管理人室で鳴る呼出音を可変する場合、管理人室に設けられた管理用制御盤のインターホン装置に設けられた音響釦をスライドして呼出音の大小を調節していた。また、その呼出音は管理用制御盤のハンドセットをフックオンすると停止するものであった。なお、警報音は固定されている。
【０００３】
【発明が解決しようとする課題】
しかしながら、従来のインターホン装置は、音響釦をスライドして呼出音の大小を調節するものであるが、音響釦をスライドして呼出音を調整しても実際には呼出音が鳴らないとどれ位の音量か分からないため、不便であった。
また、呼出音を調整した後はその呼出音は固定されているため、呼出音を小さく調整したときに音源から管理人又は住人が少し離れれた場所にいるときには気が付かないということもあった。なお、一戸建て住宅のインターホン装置においても同様である。
【０００４】
本発明は上記の課題を解決するためになされたものであり、呼出音を調整したときにその調整された呼出音の音量を確認することができたり、段階的に呼出音の音量が大きくなって管理人又は住人が音源から少し離れた場所にいるときにも気が付くようにしたインターホン装置を提供することを目的とする。
【０００５】
【課題を解決するための手段】
本発明の請求項１に係るインターホン装置は、呼出指令信号に基づいて呼出音声信号を作成する音声合成回路と、  音声合成回路が作成した呼出音声信号を増幅する増幅回路と、
増幅回路が増幅した呼出音声信号を音声に変換する音声発生器と、音声合成回路が作成した呼出音声信号のレベルを音量調整信号のレベルに基づき段階的に調整する音量調整回路と、小レベルから大レベルまでの複数段階のレベルに調節可能な音量調整信号のうち、予め中レベルの音量調整信号を内蔵のメモリに格納しており、インターホン装置のハンドセットがフックオフの状態のときの１つの呼出スイッチのオン操作回数に応じて、メモリに格納されている音量調整信号のレベルよりも大きいレベルの音量調整信号を段階的に選択して、また、メモリに格納されている音量調整信号のレベルが大レベルの場合は小レベルの音量調整信号を選択して、該選択されたレベルの音量調整信号を内蔵のメモリに記憶し、同時に、該１つの呼出スイッチのオン操作時に呼出指令信号を音声合成回路に出力すると共に該メモリに記憶したレベルの音量調整信号を音量調整回路に出力し、他の機器からの呼出信号を受けた時に呼出指令信号を音声合成回路に出力すると共に該メモリに記憶したレベルの音量調整信号を音量調整回路に出力する制御回路とを備えたことを特徴するものです。
【０００６】
本発明の請求項２に係るインターホン装置は、前記制御回路はタイマを内蔵し、他の機器からの１つの呼出信号を受けたときに、一定時間の間、音声合成回路に呼出指令信号を出力すると共に、音量調整回路に一定時間の間、所定時間間隔毎に段階的に音量を大きくする音量調整信号を出力することを特徴とするものです。
【０００７】
本発明の請求項３に係るインターホン装置は、他の機器としての管理用制御盤又は住宅情報盤との通話を行うときに、テンキーにより通話を行いたい他の機器が設けられている部屋の部屋番号を入力し、呼出スイッチを押すことにより他の機器を呼び出す集合玄関機としてのインターホン装置であって、他の機器からの通話信号を受信すると共に該インターホン装置のマイクの通話信号を他の機器へ発信する通話回路と、呼出指令信号に基づいて呼出音声信号を作成する音声合成回路と、音声合成回路が作成した呼出音声信号と通話回路の通話信号を増幅する増幅回路と、増幅回路が増幅した呼出音声信号を音声に変換する音声発生器と、音声合成回路が作成した呼出音声信号と通話回路の通話信号のレベルを音量調整信号のレベルに基づき段階的に調整する音量調整回路と、前記他の機器が設けられている各部屋の部屋番号を入力すると共に電源投入時に調整モードを設定するテンキーと、小レベルから大レベルまでの複数段階のレベルに調節可能な音量調整信号のうち、予め中レベルの音量調整信号を内蔵のメモリに格納しており、テンキーの少なくとも２つのキーのオン操作のオン信号を受けて電源投入時に調整モードに入り、その調整モードにおいて、前記２つのキーのうちの一方のキーのオン操作回数の数のオン信号に応じてメモリに格納されている音量調整信号のレベルよりも次第に段階的に大きいレベルの音量調整信号を選択して、また、前記２つのキーのうちの他方のキーのオン操作回数の数のオン信号に応じてメモリに格納されている音量調整信号のレベルよりも次第に段階的に小さいレベルの音量調整信号を選択して、該選択されたレベルの音量調整信号を内蔵のメモリに記憶し、かつ、該インターホン装置の呼出スイッチのオン操作時に呼出指令信号を音声合成回路に出力すると共に該メモリに記憶したレベルの音量調整信号を音量調整回路に出力し、調整モード以外において、他の機器からの呼出信号を受けた時に呼出指令信号を音声合成回路に出力すると共に該メモリに記憶したレベルの音量調整信号を音量調整回路に出力する制御回路とを備えたことを特徴とするものです。
【０００８】
本発明の請求項４に係るインターホン装置は、前記音量調整回路は、音声合成回路と増幅回路との間に設けられ、抵抗値が異なる複数の音量調整用抵抗と、各音量調整用抵抗と接地との間に設けられ、前記制御回路の各ポートから出力される音量調整信号に対応してオンする複数のスイッチング素子とを有することを特徴とするものです。
【００１０】
【発明の実施の形態】
実施の形態１．
図１は本発明の実施の形態１に係る管理用制御盤のインターホン装置の構成を示す回路図、図２は防犯設備及びインターホン設備の系統図、図３は図２の系統図において、管理室に設けられるインターホン機能を備えた管理室機にさらに防犯機能を備えてなる管理用制御盤の正面概略図、図４は図２の系統図において、各部屋に設けられるインターホン機能を備えた部屋機にさらに防犯機能を備えてなる住宅情報盤の正面概略図、図５は図２の系統図において、玄関に設けられるインターホン機能を備えた集合玄関機の正面概略図である。
【００１１】
ここで、本発明の特徴である管理用制御盤のインターホン装置の構成を示す図１の説明に先立って、住宅情報盤が適用される全体のシステムを図２に基づいてまず説明する。
【００１２】
図２において、ＴＣは通話制御装置、ＶＣは映像制御装置、ＥＰ１〜ＥＰｋは、マンションなどの集合住宅の集合玄関に設けられたロビーインターホン（集合玄関機）、ＳＭ１、ＳＭ２は、集合住宅の管理室に設けられた管理用制御盤、ＳＭＰは通話制御装置ＴＣと管理用制御盤ＳＭ１とを１つのケースに収容した管理人親機、Ｊ１〜Ｊｎは集合住宅の各部屋に設けられたインターホン機能を備えた部屋機に更に防犯機能を備えた住宅情報盤である。
また、Ｌ１１〜Ｌ１３は制御線、Ｌ２１〜Ｌ２３は第１通話線、Ｌ３１〜Ｌ３３は第２通話線、Ｌ４１〜Ｌ４３は第１映像線、Ｌ５１〜Ｌ５３は第２映像線である。
【００１３】
また、図２でＤＰ１〜ＤＰｎは各部屋の玄関の外に設けられ、その部屋の住宅情報盤Ｊ１〜Ｊｎに接続されたドアホン、ＳＥ１は監視線ＬＳ２１〜ＬＳ２ｎによって住宅情報盤Ｊ１〜Ｊｎに接続された各部屋の玄関の防犯センサ、ＳＥ２〜ＳＥｎは監視線ＬＳ２１〜ＬＳ２ｎによって住宅情報盤Ｊ１〜Ｊｎに接続された各部屋の玄関以外の部分（例えばベランダに面した窓など）に設けられた防犯センサである。なお、図２には、各部屋の玄関部分に設けられた防犯センサＳＥ１を玄関以外の部分に設けられた防犯センサＳＥ２〜ＳＥｎと同系統の監視線ＬＳ２１〜ＬＳ２ｎに接続した場合を示しているが、別系統の監視線ＬＳ１１〜ＬＳ１ｎに接続して、防犯センサＳＥ２〜ＳＥｎとは別の監視をさせるようにしても良い。
【００１４】
また、図２の住宅情報盤Ｊ１〜Ｊｎには図１に示すメモリ内蔵のマイクロコンピュータ（以下、「マイコン」と称する）１が備えられており、マイコン１はメモリに格納されているプログラムにより各種の動作処理を行う。なお、本発明において防犯機能は必須のものではないため、住宅情報盤Ｊ１〜Ｊｎをインターホン機能を備えたインターホン装置に代えても良い。尚、火災信号については、住宅情報盤Ｊ１〜Ｊｎから図示しない自動火災報知用信号線を介して図示しない住棟受信機へ送出する。
【００１５】
管理用制御盤を示す図３において、ＨＳはインターホンのハンドセット（送受話器）、ＳＰＫはインタホンの呼出音、各部屋からの通話などを流す音声発生器であるスピーカ、ＩＮＤ１及びＩＮＤ２は表示部で、ＩＮＤ１は７セグメントの警報時の部屋番号表示部、ＩＮＤ２は４桁の７セグメントの呼出・通話時の相手先部屋番号表示部、ＬＰ１〜ＬＰ１２は各種表示灯で、ＬＰ１は図示しない火災受信機からの移報信号を受信すると点灯する火災表示灯、ＬＰ２は非常表示灯、ＬＰ３は防犯表示灯、ＬＰ４は換気表示灯、ＬＰ５はガスもれ表示灯、ＬＰ６は図示しないバスルームに設けられたコール押釦からの信号を受信すると点灯するコール表示灯、ＬＰ７は故障表示灯、ＬＰ８は障害表示灯、ＬＰ９は次警報表示灯、ＬＰ１０は故障遮断表示灯、ＬＰ１１は解錠表示灯、ＬＰ１２はメモリの動作を示すメモリＬＥＤ表示灯である。
【００１６】
ＳＷ１〜ＳＷ１１は各種スイッチ（非ロック式押しボタンスイッチ）で、例えば、ＳＷ１は、後続再鳴動方式の警報音響を停止する音響停止スイッチ、ＳＷ２は警報を復旧する警報復旧スイッチ、ＳＷ３は表示を前にシフトするシフトスイッチで、１操作により１シフトする。また、このシフトスイッチＳＷ３は１秒間操作し続けると、１秒間隔でシフトし、３秒以上操作し続けると０．５秒間隔でシフトする。
即ち、複数の部屋が逐次警報信号を発信した場合に部屋番号表示部ＩＮＤ１には最初の警報信号を発信した部屋の部屋番号が表示されるが、それ以降の別の警報信号を発信した部屋番号を部屋番号表示部ＩＮＤ１に表示したいときにはシフトスイッチＳＷ３を操作するのである。
ＳＷ４は緊急で各部屋を呼び出すための緊急呼出スイッチで、緊急時に話し中の通話を切って割り込み呼出しする機能を有する。ＳＷ５は各部屋に一斉放送、系統別放送、個別放送を行うための一斉放送スイッチ、ＳＷ６は各部屋を呼び出すためのテンキー、ＳＷ７は集合玄関と通話中にオートロックを解錠するための解錠スイッチ、ＳＷ８は誤操作された場合に操作する取消スイッチ、ＳＷ９は各部屋を呼び出すための呼出スイッチ、ＳＷ１０は各部屋から呼出があった場合に２０戸以内で部屋番号を表示するメッセージセットスイッチ、ＳＷ１１は各部屋から呼出があったことを消去するメッセージリセットスイッチである。
即ち、各部屋から呼び出しがあり、メモリーにその部屋番号が記憶されている場合に、管理用制御盤ＳＭのハンドセットＨＳをフックオンさせ、テンキーＳＷ６のうちの＊キーを押し、メッセージセットスイッチＳＷ１０を押すと上記呼び出しのあった部屋の部屋番号の１つが表示部ＩＮＤ２に表示され、更にシフトスイッチＳＷ３を押すと別の呼び出しのあった部屋の部屋番号が表示部ＩＮＤ２に表示される。また、表示部ＩＮＤ２に呼び出しのあった部屋の部屋番号が表示されているときにメッセージリセットスイッチＳＷ１１を押すと当該部屋番号がメモリーから消去される。
【００１７】
住宅情報盤を示す図４において、ＨＳはインターホンのハンドセット（送受話器）、ＳＰＫはインタホンの呼出音、管理室からの放送、警報音などを流す音声発生器であるスピーカ、ＭＮは集合玄関機ＥＰ１〜ＥＰｋの図示しないテレビカメラから送られてくる訪問者の映像を映すＣＲＴあるいはＬＣＤ等のモニタテレビである。
また、ＬＰ１１〜ＬＰ１５は各種表示灯で、ＬＰ１１は電源灯、ＬＰ１２は玄関機ＥＰ１〜ＥＰｋからの呼出であることを示すロビー灯、ＬＰ１３はドアホンからの呼出であることを示すドアホン灯、ＬＰ１４は管理室からの呼出であることを示す管理室灯、ＬＰ１５は防犯警戒中であることを示す警戒中灯である。
【００１８】
また図４で、ＳＷ２１〜ＳＷ２６は各種スイッチで、例えば、ＳＷ２１は、在宅防犯モード（在宅モード）または外出防犯モード（外出モード）のいずれかを選択して設定する選択設定スイッチと、各防犯モードの解除スイッチを兼ねた防犯スイッチ、ＳＷ２２は管理人呼出スイッチ、ＳＷ２３は音響停止スイッチ、ＳＷ２４は例えば火災、ガス漏れ等の事故の復旧スイッチ、ＳＷ２５は非常通報スイッチ、ＳＷ２６は集合玄関の自動ドアを解錠するための解錠スイッチである。
なお、非常通報スイッチＳＷ２５を除くスイッチ２１〜２４、２６には非ロック式押しボタンスイッチが用いられている。
【００１９】
また図４では、各防犯センサＳＥ１〜ＳＥ２の一例として、監視線ＬＳ２に直列に設けられたリードスイッチＬＳＷと、各部屋のドアや窓に取り付けるリードスイッチＬＳＷのオンオフ用の磁石ＭＧを図示している。このセンサＳＥ１〜ＳＥ２はドアや窓が戸締まりされているとリードスイッチＬＳＷが磁石ＭＧによりオンする。なお、センサとしては他の形式のものを用いても良い。
【００２０】
集合玄関機を示す図５において、ＳＰＫはインタホンの呼出音、管理室からの放送、警報音などを流す音声発生器であるスピーカ、ＣＭＲは集合玄関機の前の訪問者を撮像するテレビカメラ、ＡＲＫはオートロックを住民が解錠するためのオートロック解錠キー溝、ＩＮＤ１１は後述するテンキーで入力した部屋番号を赤色点灯表示する４桁の７セグメントの部屋番号表示部である。また、ＭＩＣは住宅情報盤Ｊ１〜Ｊｎや管理用制御盤ＳＭに音声を流すための音声入力手段としてのマイクである。
【００２１】
また、ＬＰ２１〜ＬＰ２５は各種表示灯・指示灯で、ＬＰ２１は通話中の状態を赤色点滅表示する通話中表示灯、ＬＰ２２は部屋番号の入力を指示する部屋番号入力指示灯で、平常状態では点灯表示しており、テンキーで部屋番号を入力すると点滅表示する。ＬＰ２３は赤色点滅してテンキーで入力した部屋の呼出操作を指示する呼出指示灯、ＬＰ２４は呼出を行って通話待ちを赤色点滅して指示する通話指示灯、ＬＰ２５は赤色点滅して操作ミスを指示する再入力指示灯である。
また図５で、ＳＷ３１〜ＳＷ３４は各種スイッチ（非ロック式押しボタンスイッチ）で、例えば、ＳＷ３１は部屋番号を設定するテンキー、ＳＷ３２は操作入力を取り消すための取消スイッチ、ＳＷ３３は各部屋を呼び出す呼出スイッチ、ＳＷ３４は音声合成ガイダンスのメッセージを発声させるためのガイダンススイッチである。
【００２２】
ここで、まず住宅情報盤Ｊ１〜Ｊｎのインターホン機能の動作を集合玄関機ＥＰ１〜ＥＰｋとの間の例で説明する。
訪問者が例えば集合玄関機ＥＰ１のテンキーＳＷ３１を操作して訪問すべき部屋番号例えば１０２を入力し、次に呼出スイッチＳＷ３３を押すと、集合玄関機ＥＰ１から制御線Ｌ１１を介して通話制御装置ＴＣに部屋コードと呼出コードからなる呼出信号が送出される。通話制御装置ＴＣは集合玄関機ＥＰ１から呼出信号を受信すると、空いている通話線、映像線を調べ、第２通話線と第２映像線とが使用中であれば、呼出信号と第１通話線Ｌ２２及び第１映像線Ｌ４２の通話・映像線指定命令を制御線Ｌ１２を介して１０２号室の住宅情報盤Ｊ２に送出すると共に、第１映像線Ｌ４１の映像線指定命令を制御線Ｌ１１を介して集合玄関機ＥＰ１に送出する。また、制御線Ｌ６１を介して映像制御装置ＶＣに映像線Ｌ４１とＬ４２を接続する命令を送出する。これにより、集合玄関機ＥＰ１では、テレビカメラＣＭＲを起動すると共に、第１映像線Ｌ４１を図示しない映像用接続スイッチで接続し、第１映像線Ｌ４１に訪問者の映像信号を送出する。
【００２３】
また、１０２号室の住宅情報盤Ｊ２は、制御線Ｌ１２を通じ受信した呼出信号と第１通話線Ｌ２２および第１映像線Ｌ４２の通話・映像線指定命令により、図示しない通話用と映像用の各接続スイッチを制御して第１通話線Ｌ２２及び第１映像線Ｌ４２をそれぞれ接続する。また、スピーカＳＰＫから呼出音を発し、ロビー灯ＬＰ２を点灯し、モニタテレビＭＮを起動して第１映像線Ｌ４２により送られてくる映像信号による映像を放映する。
【００２４】
尚、以下、フックオンとは住宅情報盤Ｊ２のハンドセットＨＳを盤面から取ることにより、当該盤面の図示しないフックを開放することをいい、またフックオフとは住宅情報盤Ｊ２のハンドセットＨＳを盤面に置くことにより当該盤面の図示しないフックを押下げることをいう。
住宅情報盤Ｊ２でハンドセットＨＳが取り上げられると、ハンドセットＨＳにより押下されていた住宅情報盤Ｊ２の図示しないフックが開放され（フックオン）、住宅情報盤Ｊ２から通話制御装置ＴＣに制御線Ｌ１２を介してフックオン信号が送出される。通話制御装置ＴＣは住宅情報盤Ｊ２からフックオン信号を受信すると、集合玄関機ＥＰ１に対し第１通話線Ｌ２１の通話線指定命令を送出し、この命令により集合玄関機ＥＰ１は図示しない通話用接続スイッチを制御して第１通話線Ｌ２１を接続する。これにより集合玄関機ＥＰ１と住宅情報盤Ｊ２との間の通話路が形成され、訪問者と１０２号室の居住者との間で通話が行われる。
集合玄関に入館用の自動ドアがある場合には、住宅情報盤Ｊ２の解錠スイッチＳＷ６を操作すると制御線Ｌ１２、Ｌ１１を介して集合玄関機ＥＰ１の電気錠に解錠信号が送られ、自動ドアが開放される。
【００２５】
また、通話が終了して住宅情報盤Ｊ２のハンドセットＨＳを元に戻す（フックオフ）と、住宅情報盤Ｊ２から制御線Ｌ１２を介して通話終了信号が通話制御装置ＴＣに送られ、該通話制御装置ＴＣは制御線Ｌ１１とＬ１２並びに映像制御装置ＶＣに終了命令を送出する。これにより、集合玄関機ＥＰ１はテレビカメラをオフすると共に第１通話線Ｌ２１と第１映像線Ｌ４１の各接続スイッチを開放し、住宅情報盤Ｊ２はモニタテレビＭＮをオフすると共に第１通話線Ｌ２２と第１映像線Ｌ４２の各接続スイッチを開放し、映像制御装置ＶＣは第１通話線Ｌ２１と第１映像線Ｌ４１の接続を解放する。この結果第１通話線と第１映像線とは解放される。
【００２６】
上記の説明により住宅情報盤Ｊ１〜Ｊｎの動作が明らかになったところで、次に図１の管理用制御盤ＳＭのインターホン装置の構成を説明する。
１は住宅情報盤Ｊや集合玄関機ＥＰと管理用制御盤ＳＭとの間で通話制御装置ＴＣを介して呼出制御を行う管理用制御盤ＳＭのマイコン、ＳＷ９は管理用制御盤ＳＭに設けられた呼出スイッチである。なお、マイコンは制御回路の一例である。
２はマイコン１からの呼出指令信号に基づいて呼出音声信号を作成する音声合成回路、３は音声合成回路が作成した呼出音声信号を増幅する増幅回路、ＳＰＫは増幅回路３が増幅した呼出音声信号を音声に変換する音声発生器であるスピーカ、４は音声合成回路２が作成した呼出音声信号のレベルを音量調整信号に基づき段階的に調整する音量調整回路である。
【００２７】
この音量調整回路４は音声合成回路２と増幅回路３とを結ぶ接続線５と接地との間に設けられた抵抗値が各々小、中、大と３段階に異なる３つの音量調整用抵抗６、７、８と、各音量調整用抵抗６、７、８と接地との間にそれぞれ設けられ、マイクロコンピュータ１の各ポート出力Ｐ１、Ｐ２，Ｐ３からの音量調整信号によりオンするスイッチング素子であるトランジスタ９、１０、１１とで構成されている。
【００２８】
次に、本実施の形態１の動作を図１を参照しながら説明する。
まず、当初の設定ではマイコン１は例えば住宅情報盤Ｊからの通話制御装置ＴＣを介して呼出信号を受けた場合、呼出指令信号を音声合成回路２に出力する。
呼出指令信号を受けた音声合成回路２は増幅回路３に呼出音声信号を出力する。
このとき、マイコン１には当初は中のレベルの音量調整信号を出力するように内蔵のメモリに記憶されているため、マイコン１はポート出力Ｐ２から音量調整回路４に中のレベルの音量調整信号を出力する。その音量調整信号を受けた音量調整回路４はトランジスタ１０をオンさせ、抵抗値が中の音量調整用抵抗７に電流を流すようにする。このようにして音量調整回路４は音声合成回路２が作成した呼出音声信号のレベルを中にして増幅回路３に出力させ、スピーカＳＰＫではレベル中の増幅された呼出音声信号を呼出音に変換して発声する。この呼出音は警報音とは区別される。なお、管理室でハンドセットＨＳを盤面にフックオンの状態とすると、呼出音は停止する。
そして、その後もマイコン１は呼出信号を受けた場合には、ポート出力Ｐ２から音量調整回路４に中のレベルの音量調整信号を出力し続ける。
【００２９】
このように当初はマイコン１が音量調整回路４に中のレベルの音量調整信号を出力するように設定されているが、マイコン１から音量調整回路４への音量調整信号のレベルを可変したい場合は、次のようにして設定する。
管理用制御盤ＳＭのハンドセットＨＳがフックオフの状態（ハンドセットＨＳが盤面にある状態）のときに呼出スイッチＳＷ９を例えば１回押圧操作すると、その操作信号がマイコン１に出力され、マイコン１はポート出力Ｐ３から大のレベルの音量調整信号を出力するように内蔵のメモリに記憶され、マイコン１はポート出力Ｐ３から音量調整回路４に大のレベルの音量調整信号を出力する。その音量調整信号を受けた音量調整回路４はトランジスタ１１をオンさせ、抵抗値が大の音量調整用抵抗８に電流を流すようにする。
【００３０】
それと同時に、その操作信号を受けたマイコン１は呼出指令信号を音声合成回路２に一時的、例えば２秒間出力する。その音声合成回路２は呼出音声信号を作成して増幅回路３に出力するが、音量調整回路４はトランジスタ１１がオンして抵抗値が大の音量調整用抵抗８に電流を流すようにすることにより、音声合成回路２が作成した呼出音声信号のレベルを大にして増幅回路３に出力させ、スピーカＳＰＫではレベル大の増幅された呼出音声信号を呼出音に変換して試験的に発声させ、操作者に音量を確認させる。そして、その調整後にマイコン１は呼出信号を受けた場合には、ポート出力Ｐ３から音量調整回路４に大のレベルの音量調整信号を出力し続ける。
【００３１】
次に、マイコン１が音量調整回路４に大のレベルの音量調整信号を出力するように設定されている場合に、ハンドセットＨＳがフックオフの状態のときに呼出スイッチＳＷ９を例えば１回押圧操作すると、その操作信号がマイコン１に出力され、マイコン１はポート出力Ｐ１から小のレベルの音量調整信号を出力するように内蔵のメモリに記憶され、マイコン１はポート出力Ｐ１から音量調整回路４に小のレベルの音量調整信号を出力する。その音量調整信号を受けた音量調整回路４はトランジスタ９をオンさせ、抵抗値が小の音量調整用抵抗６に電流を流すようにし、スピーカＳＰＫから小の呼出音が発声するようにする。この時も、調整された呼出音はスピーカＳＰＫから試験的に例えば２秒間発声させられる。さらに、呼出スイッチＳＷ９を１回押圧操作すると、マイコン１はポート出力Ｐ２から中のレベルの音量調整信号を出力するように内蔵のメモリに記憶される。
【００３２】
なお、当初の設定から、呼出スイッチＳＷ９を続けて２回押せば、マイコン１はポート出力Ｐ１から小のレベルの音量調整信号を出力するように内蔵のメモリに記憶される。
従って、管理用制御盤ＳＭのハンドセットＨＳがフックオフの状態のときに呼出スイッチＳＷ９を押圧操作して音量調整したとき、音量調整した呼出音が発声されるため、操作者が呼出音を確認することができ、便利である。なお、警報音とは音声の違いにより区別される。
上記実施の形態１は管理用制御盤のインターホン装置の呼出音の音量調整について説明したが、住宅情報盤のインターホン装置の呼出音の音量調整も実施の形態１と全く同様の構成によって行われ、本発明が適用されることはいうまでもない。
【００３３】
実施の形態２．
図６は本発明の実施の形態２に係る管理用制御盤のインターホン装置の構成を示す回路図、図７は同管通制御盤のインターホン装置の呼出音の音量制御を示すフローチャートである。
この実施の形態２は管理用制御盤ＳＭが住宅情報盤Ｊ或いは集合玄関機ＥＰから呼出信号を受けて呼出音が鳴る場合に呼出音が自動的に段階的に音響が大きく鳴るようにしたものである。
本発明の実施の形態２は、制御回路の一例であるマイコン１にさらにタイマ１５を内蔵させたもので、他の構成は実施の形態１と同様であるため、実施の形態１と同一符号を付して構成の重複した構成の説明を省略する。
【００３４】
次に、本発明の実施の形態２の動作を図７に示す呼出音の音量制御を示すフローチャートに基づいて説明する。
マイコン１では例えば住宅情報盤Ｊ又は集合玄関機ＥＰから通話制御装置ＴＣを介しての呼出信号があるか否かを判断し（ステップＳ１）、呼出信号があればタイマ１５Ａをセットし、１５秒間は呼出指令信号を音声合成回路２に出力すると共にポート出力Ｐ１から音量調整回路４に小のレベルの音量調整信号を出力する。呼出指令信号を受けた音声合成回路２は増幅回路３に呼出音声信号を出力する。また、マイコン１のポート出力Ｐ１から小のレベルの音量調整信号を受けた音量調整回路４はトランジスタ９をオンさせ、抵抗値が小の音量調整用抵抗６に電流を流すようにする。こうすることにより、音声合成回路２が作成した呼出音声信号のレベルを小にして増幅回路３に出力させ、スピーカＳＰＫではレベル小の増幅された呼出音声信号を呼出音に変換して鳴らす（ステップＳ２）。
【００３５】
そして、タイマ１５Ａが１５秒でタイムアップしたかどうかを判断し（ステップＳ３）、タイムアップしていないときは管理用制御盤ＳＭのハンドセットＨＳがフックオンの状態（ハンドセットＨＳを取った状態）か否かを判断し（ステップＳ４）、ハンドセットＨＳがフックオンの状態でなければステップＳ３に戻り、フックオンの状態のときはポート出力Ｐ１からの小のレベルの音量調整信号の出力を停止すると共に、音声合成回路２に対する呼出指令信号の出力も停止して呼出音を鳴らすのを停止する（ステップＳ５）。
【００３６】
また、ステップＳ３でタイマ１５Ａが１５秒でタイムアップしたときは、タイマ１５Ｂをセットし（ステップＳ７）、１５秒間は呼出指令信号を音声合成回路２に出力すると共にポート出力Ｐ１からの音量調整回路４への音量調整信号の出力を停止し、ポート出力Ｐ２から音量調整回路４に中のレベルの音量調整信号を出力する。呼出指令信号を受けた音声合成回路２は増幅回路３に呼出音声信号を出力する。また、マイコン１のポート出力Ｐ２から中のレベルの音量調整信号を受けた音量調整回路４はトランジスタ１０をオンさせ、抵抗値が中の音量調整用抵抗７に電流を流すようにする。こうすることにより、音声合成回路２が作成した呼出音声信号のレベルを中にして増幅回路３に出力させ、スピーカＳＰＫではレベル中の増幅された呼出音声信号を呼出音に変換して鳴らす（ステップＳ８）。
【００３７】
そして、タイマ１５Ｂが１５秒でタイムアップしたかどうかを判断し（ステップＳ９）、タイムアップしていないときは管理用制御盤ＳＭのハンドセットＨＳがフックオンの状態（ハンドセットＨＳを取った状態）か否かを判断し（ステップＳ１０）、ハンドセットＨＳがフックオンの状態でなければステップＳ８に戻り、フックオンの状態のときはポート出力Ｐ２からの中のレベルの音量調整信号の出力を停止すると共に、音声合成回路２に対する呼出指令信号の出力も停止して呼出音を鳴らすのを停止する（ステップＳ６）。
【００３８】
さらに、ステップＳ９でタイマ１５Ｂが１５秒でタイムアップしたときは、タイマ１５Ｃをセットし（ステップＳ１１）、１５秒間は呼出指令信号を音声合成回路２に出力すると共にポート出力Ｐ２からの音量調整回路４への音量調整信号の出力を停止し、ポート出力Ｐ３から音量調整回路４に大のレベルの音量調整信号を出力する。呼出指令信号を受けた音声合成回路２は増幅回路３に呼出音声信号を出力する。また、マイコン１のポート出力Ｐ３から大のレベルの音量調整信号を受けた音量調整回路４はトランジスタ１１をオンさせ、抵抗値が大の音量調整用抵抗８に電流を流すようにする。こうすることにより、音声合成回路２が作成した呼出音声信号のレベルを大にして増幅回路３に出力させ、スピーカＳＰＫではレベル大の増幅された呼出音声信号を呼出音に変換して鳴らす（ステップＳ１２）。
【００３９】
そして、タイマ１５Ｃが１５秒でタイムアップしたかどうかを判断し（ステップＳ１３）、タイムアップしていないときは管理用制御盤ＳＭのハンドセットＨＳがフックオンの状態（ハンドセットＨＳを取った状態）か否かを判断し（ステップＳ１４）、ハンドセットＨＳがフックオンの状態でなければステップＳ１２に戻り、フックオンの状態のときはポート出力Ｐ３からの大のレベルの音量調整信号の出力を停止すると共に、音声合成回路２に対する呼出指令信号の出力も停止して呼出音を鳴らすのを停止する（ステップＳ６）。
また、ステップＳ１３でタイマ１５Ｃが１５秒でタイムアップしたときは、ポート出力Ｐ３からの音量調整信号の出力を停止すると共に、音声合成回路２に対する呼出指令信号の出力も停止して呼出音を鳴らすのも停止し（ステップＳ１５）、ステップＳ１に戻って呼出信号があるか否かを待つ。
【００４０】
このように、管理用制御盤ＳＭが住宅情報盤Ｊ或いは集合玄関機ＥＰから呼出信号を受けた場合に、管理用制御盤ＳＭのスピーカＳＰＫが鳴らす呼出音が住宅情報盤Ｊ或いは集合玄関機ＥＰの呼出スイッチを１回操作したときに４５秒間のうち、１５秒間隔で小、中、大と自動的に段階的に音響が大きく鳴るようにしたから、管理人が管理人室の管理用制御盤ＳＭから離れて周りにいても気が付くことになる。
上記実施の形態２は管理用制御盤ＳＭのインターホン装置の呼出音が自動的に段階的に音響が大きく鳴るようにした音量調整について説明したが、住宅情報盤Ｊのインターホン装置の呼出音の音量調整も実施の形態２と全く同様の構成によって行われ、本発明が適用されることはいうまでもない。
【００４１】
実施の形態３．
図８は本発明の実施の形態２に係る集合玄関機のインターホン装置の構成を示す回路図である。
図において、２１は住宅情報盤Ｊや管理用制御盤ＳＭと集合玄関機ＥＰとの間で通話制御装置ＴＣを介して呼出制御を行う集合玄関機ＥＰの制御回路の一例としてのマイコンである。ＳＷ３１は集合玄関機ＥＰの盤面に設けられた部屋番号等を入力するテンキー、ＳＷ３３は集合玄関機ＥＰの盤面に設けられた呼出スイッチ、ＬＰ２１〜ＬＰ２５は各種の操作表示灯、ＩＮＤ１１は集合玄関機ＥＰの盤面に設けられた部屋番号を表示する７セグメントの表示部である。
【００４２】
２２はマイコン２１からの呼出指令信号に基づいて呼出音声信号を作成する音声合成回路、２３は音声合成回路２２が作成した呼出音声信号を増幅する増幅回路、ＳＰＫは集合玄関機ＥＰの盤面に設けられ、増幅回路２３が増幅した呼出音声信号を音声に変換する音声発生器であるスピーカ、２４は音声合成回路２２が作成した呼出音声信号のレベルを音量調整信号に基づき段階的に調整する音量調整回路である。この音量調整回路４の内部構成は実施の形態１と同様の構成であるので、その説明は省略する。
【００４３】
２５は集合玄関機ＥＰの盤面に設けられたマイクＭＩＣの音声信号を増幅する増幅回路、２６は集合玄関機ＥＰと管理用制御盤ＳＭや住宅情報盤Ｊ１〜Ｊｎとの間での通話信号を送受信する第１通話回路、２７は集合玄関機ＥＰと管理用制御盤ＳＭや住宅情報盤Ｊ１〜Ｊｎとの間での通話信号を送受信する第２通話回路、２８は集合玄関機ＥＰと管理用制御盤ＳＭや住宅情報盤Ｊ１〜Ｊｎとの間での制御信号を送受信する送受信回路、２９はマイコン２１の切替信号に基づいて第１通話回路２６と第２通話回路２７との切り替えを行う切替回路、３０は例えば解錠キーによる解錠キー信号を受け取る解錠応答回路、３１はマイコン２１からの解錠指令に基づいて電気錠に対して解錠信号を出力する解錠出力回路である。
【００４４】
次に、本実施の形態３の動作を図８を参照しながら説明する。
まず、集合玄関機ＥＰが集合玄関に設置された当初は、マイコン２１は例えば住宅情報盤Ｊからの通話制御装置ＴＣを介して呼出信号を受けた場合に、呼出指令信号を音声合成回路２に出力し、その呼出指令信号を受けた音声合成回路２は増幅回路３に呼出音声信号を出力する。このとき、マイコン２１には当初は中のレベルの音量調整信号を出力するように内蔵のメモリに記憶されているため、マイコン１はポート出力Ｐ２から音量調整回路２４に中のレベルの音量調整信号を出力する。その音量調整信号を受けた音量調整回路２４では音声合成回路２２が作成した呼出音声信号のレベルを中にして増幅回路２３に出力させ、スピーカＳＰＫではレベル中の増幅された呼出音声信号を呼出音に変換して発声するようにする。そして、その後もマイコン２１は呼出信号を受けた場合には、ポート出力Ｐ２から音量調整回路４に中のレベルの音量調整信号を出力し続ける。
【００４５】
このように当初はマイコン２１が音量調整回路４に中のレベルの音量調整信号を出力するように設定されている。
しかし、実際に集合玄関機ＥＰが玄関に設置された場合、例えば音の反射の度合い等の玄関の周囲の環境によってスピーカＳＰＫから発声される中のレベルの呼出音が常に適正であるとは限らないため、マイコン２１から音量調整回路４へ出力される音量調整信号のレベルを可変調整する必要が生じる。
そこで、集合玄関機ＥＰの設置後で、電源投入時に調整モードにして音量調整回路４へ出力される音量調整信号のレベルに基づくスピーカＳＰＫの呼出音を実際に聴きながら次のように可変設定をする。
【００４６】
まず、集合玄関機ＥＰの設置後で、電源投入時にテンキーＳＷ３１の例えば１と２の２つのキーをオン操作すると、これらの操作信号を受けたマイコン２１は調整モードに入る。
しかる後に、１のキーを１回オン操作すると、当初である前回に設定された中のレベルの音量調整信号より一段音が大きくなる大のレベルの音量調整信号を出力するように内蔵のメモリに記憶される。
また、２のキーを１回オン操作すると、当初である前回に設定された中のレベルの音量調整信号より一段音が小さくなる小のレベルの音量調整信号を出力するように内蔵のメモリに記憶される。
【００４７】
次に、集合玄関機ＥＰの呼出スイッチＳＷ３３をオン操作すると、マイコン２１は呼出指令信号を音声合成回路２２に出力すると共にメモリに記憶した大又は小のレベルの音量調整信号を音量調整回路２４に短時間、例えば２秒間出力し、音量調整回路２４は音声合成回路２が作成した呼出音声信号のレベルを大又は小にして増幅回路２３に出力させ、スピーカＳＰＫではレベル大又は小の増幅された呼出音声信号を呼出音に変換して試験的に発声させる。
そして、その調整後にマイコン２１は管理用制御盤ＳＭ又は住宅情報盤Ｊ１〜Ｊｎのいずれからの呼出信号を受けた場合には、呼出音声信号のレベルを大又は小にするための音量調整信号を音量調整回路４に出力し続ける。
また、音量調整回路２４の入力側は切替回路２９を介して第１通話回路２６と第２通話回路２７に接続されているから、音量調整回路２４に通話音声信号が入力された場合も、呼出音と同様に通話音声信号のレベルが３段階に調整される。
【００４８】
このように、集合玄関機ＥＰにおいては、集合玄関機ＥＰの設置後で、電源投入時にテンキーＳＷ３３を操作することにより、玄関の周囲の環境に見合った適正な呼出音又は通話音に音量調整することができる。
上記実施の形態３では、音量調整が３段階の場合について説明したが、マイコン２１のポート出力の数と音量調整回路２４の音量調整信号の数を増やすることにより、１つのテンキーを複数回押せば、前回より次第に段階的に音が大きくなり、またもう１つのテンキーを複数回押せば、前回より次第に段階的に音が小くなり、複数段階の音量調整ができることはいうまでもない。
また、上記実施の形態は集合用住宅のインターホンにつき説明したが、一戸建て住宅のインターホン装置においても同様である。
尚、上記実施の形態では、管理用制御盤を管理室に設けた例を示したが、当該管理室以外に設けるようにしてもよい。
【００４９】
【発明の効果】
以上の説明から明らかなように、本発明の請求項１のインターホン装置によれば、制御回路が小レベルから大レベルまでの複数段階のレベルに調節可能な音量調整信号のうち、予め中レベルの音量調整信号を内蔵のメモリに格納しており、インターホン装置のハンドセットがフックオフの状態のときの１つの呼出スイッチのオン操作回数に応じて、メモリに格納されている音量調整信号のレベルよりも大きいレベルの音量調整信号を段階的に選択して、また、メモリに格納されている音量調整信号のレベルが大レベルの場合は小レベルの音量調整信号を選択して、該選択されたレベルの音量調整信号を内蔵のメモリに記憶し、同時に、該１つの呼出スイッチのオン操作時に呼出指令信号を音声合成回路に出力すると共に該メモリに記憶したレベルの音量調整信号を音量調整回路に出力し、他の機器からの呼出信号を受けた時に呼出指令信号を音声合成回路に出力すると共に該メモリに記憶したレベルの音量調整信号を音量調整回路に出力するようにしたので、インターホン装置のハンドセットオフがフックオフの状態のときに呼出スイッチを押圧操作して音量調整したとき、音量調整した呼出音が発声されるため、操作者が呼出音を確認することができ、便利であるという効果がある。
【００５０】
本発明の請求項２のインターホン装置によれば、制御回路はタイマを内蔵し、他の機器からの１つの呼出信号を受けたときに、一定時間の間、音声合成回路に呼出指令信号を出力すると共に、音量調整回路に一定時間の間、所定時間間隔毎に段階的に音量を大きくする音量調整信号を出力するようにしたので、例えば管理用制御盤が他の機器から呼出信号を受けた場合に、管理用制御盤の音声発声手段が鳴らす呼出音を他の機器の呼出スイッチを１回操作したときに一定時間のうち、所定時間間隔で小、中、大と自動的に段階的に音響が大きく鳴ることとなり、管理人が管理人室の管理用制御盤から離れて周りにいても気が付くという効果がある。
【００５１】
本発明の請求項３のインターホン装置によれば、他の機器としての管理用制御盤又は住宅情報盤との通話を行うときに、テンキーにより通話を行いたい他の機器が設けられている部屋の部屋番号を入力し、呼出スイッチを押すことにより他の機器を呼び出す集合玄関機としてのインターホン装置であって、制御回路が小レベルから大レベルまでの複数段階のレベルに調節可能な音量調整信号のうち、予め中レベルの音量調整信号を内蔵のメモリに格納しており、テンキーの少なくとも２つのキーのオン操作のオン信号を受けて電源投入時に調整モードに入り、その調整モードにおいて、前記２つのキーのうちの一方のキーのオン操作回数の数のオン信号に応じてメモリに格納されている音量調整信号のレベルよりも次第に段階的に大きいレベルの音量調整信号を選択して、また、前記２つのキーのうちの他方のキーのオン操作回数の数のオン信号に応じてメモリに格納されている音量調整信号のレベルよりも次第に段階的に小さいレベルの音量調整信号を選択して、該選択されたレベルの音量調整信号を内蔵のメモリに記憶し、かつ、該インターホン装置の呼出スイッチのオン操作時に呼出指令信号を音声合成回路に出力すると共に該メモリに記憶したレベルの音量調整信号を音量調整回路に出力し、調整モード以外において、他の機器からの呼出信号を受けた時に呼出指令信号を音声合成回路に出力すると共に該メモリに記憶したレベルの音量調整信号を音量調整回路に出力するようにしたので、インターホン装置においては、インターホン装置の設置後で、電源投入時にテンキーを操作することにより、周囲の環境に見合った適正な呼出音又は通話音に音量調整することができるという効果がある。
【００５２】
本発明の請求項４のインターホン装置によれば、音量調整回路は、音声合成回路と増幅回路との間に設けられ、抵抗値が異なる複数の音量調整用抵抗と、各音量調整用抵抗と接地との間に設けられ、前記制御回路の各ポートから出力される音量調整信号に対応してオンする複数のスイッチング素子とを有するので、簡単な構成で安価に製作でき、必要とする段階的な音量調整の数に見合う数の音量調整用抵抗とスイッチング素子を用意すれば、必要とする段階的な音量調整を容易に実現することができるという効果をがある。
【図面の簡単な説明】
【図１】本発明の実施の形態１に係る管理用制御盤のインターホン装置の構成を示す回路図である。
【図２】防犯設備及びインターホン設備の系統図である。
【図３】図２の管通制御盤の正面概略図である。
【図４】図２の住宅情報盤の正面概略図である。
【図５】図２の集合玄関機の正面概略図である。
【図６】本発明の実施の形態２に係る管理用制御盤のインターホン装置の構成を示す回路図である。
【図７】同管理用制御盤のインターホン装置の呼出音の音量制御を示すフローチャートである。
【図８】本発明の実施の形態３に係る集合玄関機のインターホン装置の構成を示す回路図である。
【符号の説明】
ＳＭ  管理用制御盤
Ｊ１〜Ｊｎ  住宅情報盤
ＥＰ  集合玄関機
ＳＰＫ  スピーカ（音声発生器）
１  マイコン（制御回路）
２  音声合成回路
３  増幅回路
４  音量調整回路
【図１】
0003694822.tif 000002
【図２】
0003694822.tif 000003
【図３】
0003694822.tif 000004
【図４】
0003694822.tif 000005
【図５】
0003694822.tif 000006
【図６】
0003694822.tif 000007
【図７】
0003694822.tif 000008
【図８】
0003694822.tif 000009